【手続補正書】
【提出日】平成18年9月4日(2006.9.4)
【手続補正１】
【補正対象書類名】特許請求の範囲
【補正対象項目名】全文
【補正方法】変更
【補正の内容】
【特許請求の範囲】
【請求項１】
近位端および遠位端を有し、外鞘とその外鞘に対して軸方向に可動な内側コアとを含んでなる、細長い可撓性カテーテル本体、
二叉分岐移植片の主要血管部分を拘束するための、第1剥離可能カバーを含んでなる主要血管移植片拘束具、
移植片の第1分枝血管部分を拘束するための第１分枝血管移植片拘束具、および
移植片の第2分枝血管部分を拘束するための第２分枝血管移植片拘束具、
を含んでなり、
第１剥離可能カバーは主要分枝解放要素につながれ、主要血管移植片拘束具、第１分枝血管移植片拘束具および第２分枝血管移植片拘束具のそれぞれは、移植片装填状態では、カテーテル本体内に配置される、分岐部移植片配備システム。
【請求項２】
前記主要分枝解放要素が、カテーテルを通って伸びる細長い、可撓性の、軸方向に可動な解放要素を含んでなる、請求項１に記載の配備システム。
【請求項３】
前記第1分枝血管移植片拘束具が第１管状スリーブを含んでなる、請求項１に記載の配備システム。
【請求項４】
前記第１管状スリーブが内側コアにつながれる、請求項３に記載の配備システム。
【請求項５】
前記第1分枝血管移植片拘束具が第2剥離可能カバーを含んでなる、請求項１に記載の配備システム。
【請求項６】
前記第２剥離可能カバーが、カテーテルを通って伸びる細長い、可撓性の、軸方向に可動な解放要素を含んでなる第1分枝解放要素に取り付けられる、請求項５に記載の配備システム。
【請求項７】
前記第２分枝血管移植片拘束具が管状スリーブを含んでなる、請求項１に記載の配備システム。
【請求項８】
前記管状スリーブが、細長い、可撓性の、軸方向に可動な解放要素を含んでなる第２分枝解放要素に取り付けられる、請求項７に記載の配備システム。
【請求項９】
前記カテーテルが第１経皮穿刺部位を通って入るように構成され、第２分枝解放要素が第2経皮穿刺部位を通って出るように構成される、請求項８に記載の配備システム。
【請求項１０】
主要血管と第１および第２分枝血管との接続部に二叉分岐人工器官を配備するための配備システムであって、
内側コア、外鞘および内側コアにつながれた遠位先端部を有し、内側コアが外鞘内に摺動自在に係合されている送達カテーテル、ならびに
近位端および遠位端を持つ主本体区間を有し、その主本体区間の近位端に第1および第2分枝区間を有する二叉分岐人工器官であって、前記主本体区間は、第1剥離可能カバーによって、半径方向に圧縮された状態で保持され、第１分枝区間は半径方向に圧縮された状態で第１管状カバー内に保持され、第２分枝区間も半径方向に圧縮された状態で第２管状カバー内に保持される二叉分岐人工器官、
を含んでなる配備システム。
【請求項１１】
前記二叉分岐人工器官が、頂点と第１および第２脚部分とを有する伸張ばねをさらに含んでなり、前記脚部分がそれぞれ第１および第２分枝区間に連結される、請求項１０の配備システム。
【請求項１２】
前記第１管状カバーが剥離可能カバーである、請求項１０の配備システム。
【請求項１３】
前記外鞘の遠位端がＲＯマーカーを含む、請求項１０の配備システム。
【請求項１４】
前記ＲＯマーカーがＲＯ材料の帯を含んでなる、請求項１３の配備システム。
【請求項１５】
ＲＯ材料を持つ外鞘の遠位端をマーキングするための手段をさらに含む、請求項１０の配備システム。
【請求項１６】
請求項１０に記載の主要血管と第１および第２分枝血管との接続部に二叉分岐管腔内人工器官を配備するための配備システムであって、
前記二叉分岐管腔内人工器官を配備するために、その配備システムを第１進入部位で第１分枝血管内に導入するステップ、
第１分枝血管の少なくとも一部分を通して主要血管内まで配備システムを遠位側に進行させるステップ、
配備システムの外鞘を近位側に引くことによって人工器官の第２分枝区間を解放するステップ、
第１剥離可能鞘を主要分枝区間から除去することによって、人工器官の主本体区間を、配備システム内で半径方向に圧縮された状態から、主要血管内で半径方向に伸張した状態に、伸張させるステップ、および
第２分枝解放ワイヤを近位側に引くことによって第2分枝区間を第２分枝血管内で伸張させるステップ、
を含むことを特徴とする配備システム。
【請求項１７】
前記第２分枝解放ワイヤが第２進入部位を通して近位側に引かれる、請求項１６に記載の配備システム。
【請求項１８】
前記配備システムの内側コアを近位側に引くことによって前記第１分枝区間を前記第１分枝血管内で伸張させるステップをさらに含む、請求項１６に記載の配備システム。
【請求項１９】
第2剥離可能鞘を前記第１分枝区間から除去することによって前記第1分枝血管内で前記第１分枝区間を伸張させるステップをさらに含む、請求項１６に記載の配備システム。
【請求項２０】
第2剥離可能鞘が第１分枝解放ワイヤを近位側に引くことによって除去される、請求項１９に記載の配備システム。
【請求項２１】
前記主要血管が大動脈であり、前記第１および第２分枝血管が同側および対側腸骨動脈である、請求項１６に記載の配備システム。
【請求項２２】
前記第２分枝区間が自己伸張可能なワイヤ支持体を含んでなる、請求項１６に記載の配備システム。
【請求項２３】
第1剥離可能鞘が、第１進入部位を通して主要分枝解放ワイヤを近位側に引くことによって除去される、請求項１６に記載の配備システム。
【請求項２４】
近位端および遠位端を有し、外鞘とその外鞘に対して軸方向に可動な内側コアとを含んでなる、細長い可撓性カテーテル本体、
直管移植片の少なくとも第1部分を拘束するための、第１剥離可能カバーを含んでなる第１移植片拘束具、
を含んでなり、
第1剥離可能カバーは第１解放要素につながれ、第１移植片拘束具は、移植片装填状態では、カテーテル本体内に配置される、直管移植片配備システム。
【請求項２５】
前記第１分枝解放要素が、前記カテーテルを通って伸びる細長い、可撓性の、軸方向に可動な解放要素を含んでなる、請求項２４に記載の配備システム。
【請求項２６】
前記配備システムが、前記直管移植片の第２部分を拘束するための第2剥離可能カバーを含む第２移植片拘束具をさらに含んでなる、請求項２４に記載の配備システム。
【請求項２７】
前記第２剥離可能カバーが、前記カテーテルを通って伸びる細長い、可撓性の、軸方向に可動な解放要素を含んでなる第２解放要素に取り付けられる、請求項２６に記載の配備システム。
【請求項２８】
請求項２４に記載の直管移植片配備システムであって、
直管管腔内人工器官を配備するために、
前記配備システムを進入部位で血管内に導入するステップ、
前記血管を通して配備システムを遠位側に進行させるステップ、
前記人工器官を露出させるために、配備システムの外鞘を近位側に引くステップ、
剥離可能カバーが引き裂かれるように第1解放要素を近位側に引くことによって、人工器官の少なくとも一部分を、配備システム内で半径方向に圧縮された状態から、血管内で半径方向に伸張した状態に、伸張させるステップ、
を含むことを特徴とする配備システム。
【請求項２９】
前記人工器官の少なくとも一部分を伸張させるステップが人工器官の遠位部分を伸張させることを含む、請求項２８に記載の配備システム。
【請求項３０】
第2剥離可能カバーが引き裂かれるように第２解放要素を近位側に引くことによって、前記人工器官の近位部分を、配備システム内で半径方向に圧縮された状態から、血管内で半径方向に伸張した状態に、伸張させるステップをさらに含む、請求項２８に記載の配備システム。